(57)【要約】【課題】  処理量の増加を抑えながらも、データの伝送特性の悪化を抑制したい。【解決手段】  ＲＦ部１２は、複数のブロックによって構成された信号であって、かつ複数のブロックのそれぞれに対して複数のキャリアが使用された信号を複数のアンテナ１０にてそれぞれ受信する。測定部２４は、受信した信号の品質を測定する。処理部１６は、測定部２４が測定した品質をもとに、アダプティブアレイ信号処理でのウエイトを共通化すべきキャリアの数を変更しながら、複数のアンテナ１０にて受信した信号に対して、アダプティブアレイ信号処理を実行する。複数のブロックのそれぞれには、優先度が付与されている。処理部１６は、品質が悪化した場合に、優先度の低いブロックよりも優先度の高いブロックに対して、アダプティブアレイ信号処理でのウエイトを共通化すべきキャリアの数を少なくする。【選択図】  図２
2006237692.tif 000002
【特許請求の範囲】
【請求項１】
複数のブロックによって構成された信号であって、かつ複数のブロックのそれぞれに対して複数のキャリアが使用された信号を複数のアンテナにてそれぞれ受信する受信部と、
前記受信部において受信した信号の品質を測定する測定部と、
前記測定部が測定した品質をもとに、アダプティブアレイ信号処理でのウエイトを共通化すべきキャリアの数を変更しながら、前記受信部において複数のアンテナにて受信した信号に対して、アダプティブアレイ信号処理を実行する処理部とを備え、
前記受信部において受信した信号を構成する複数のブロックのそれぞれには、優先度が付与されており、
前記処理部は、優先度にもとづいてアダプティブアレイ信号処理を行い、ウエイトを計算することを特徴とする受信装置。
【請求項２】
前記処理部は、品質が悪化した場合に、優先度の低いブロックよりも優先度の高いブロックに対して、アダプティブアレイ信号処理でのウエイトを共通化すべきキャリアの数を少なくしながら、アダプティブアレイ信号処理を実行することを特徴とする請求項１に記載の受信装置。
【請求項３】
前記受信部において受信した信号は、音声データに対応したブロックあるいは映像データに対応したブロックを含んでおり、かつ音声データに対応したブロックの優先度が映像データに対応したブロックの優先度以上になるように規定されていることを特徴とする請求項１または２に記載の受信装置。
【請求項４】
前記受信部において受信した信号を構成する複数のブロックは、映像データに対応したブロックを含んでおり、かつ映像データは、複数のフレームのうちのひとつを符号化する際に、他のフレームを使用する第１符号化、あるいは複数のフレームのうちのひとつを符号化する際に、他のフレームを使用しない第２符号化に対応しており、第２符号化に対応したブロックの優先度が第１符号化に対応したブロックの優先度以上になるように規定されていることを特徴とする請求項１から３のいずれかに記載の受信装置。
【請求項５】
前記受信部において受信した信号に含まれる第１符号化に対応したブロックのうち、第２符号化に対応したブロックに近接しているブロックほど、優先度が高くなるように設定されていることを特徴とする請求項４に記載の受信装置。
【請求項６】
前記処理部は、アダプティブアレイ信号処理でのウエイトを共通化すべきキャリアの数として、複数種類のキャリアの数を規定しており、品質が悪化するにしたがって、少ない値のキャリアの数を選択しつつ、アダプティブアレイ信号処理を実行することを特徴とする請求項１から５のいずれかに記載の受信装置。
【請求項７】
前記受信部が既に受信した信号を構成する複数のブロックに対して、優先度ごとのブロックのデータ量を集計する集計部と、
前記集計部において集計したデータ量をもとに、高い優先度のブロックが受信されるべきタイミングを推定する推定部とをさらに備え、
前記処理部は、前記推定部において推定したタイミングを使用しつつ、優先度の高いブロックに対して、アダプティブアレイ信号処理でのウエイトを共通化すべきキャリアの数を変更することを特徴とする請求項１から６のいずれかに記載の受信装置。
【請求項８】
複数のブロックによって構成された信号であって、かつ複数のブロックのそれぞれに対して複数のキャリアが使用された信号を複数のアンテナにてそれぞれ受信し、受信した信号の品質をもとに、アダプティブアレイ信号処理でのウエイトを共通化すべきキャリアの数を変更しながら、複数のアンテナにて受信した信号に対して、アダプティブアレイ信号処理を実行する受信方法であって、
受信した信号を構成する複数のブロックのそれぞれには、優先度が付与されており、優先度にもとづいてアダプティブアレイ信号処理を行い、ウエイトを計算することを特徴とする受信方法。
【発明の詳細な説明】
【技術分野】
【０００１】
本発明は、受信技術に関し、特に複数のアンテナによって信号を受信する受信方法および装置に関する。
【背景技術】
【０００２】
放送されている番組を受信する受信装置は、所定の番組を選局し、選局した番組を出力する。また、放送されいている番組には、映像のデータや音声のデータが含まれる。番組を搬送する電波に対して、電界強度が弱くなる場合、マルチパスによるフェージングの影響が大きくなる場合、または高速移動によるドップラーシフトの影響が大きくなる場合に、一般的に、受信のための環境が悪くなる。受信のための環境が悪くなると、受信装置によって受信された信号に含まれる誤りが増加する傾向にある。誤りが増加すると、映像データや音声データに深刻な影響を与える場合もある。影響は、映像データのストリームや音声データのストリームにおいて、誤りの発生する位置に依存するが、例えば、再生された映像において、ブロック状のノイズが発生したり、映像が静止するといった現象が生じる。そのため、再生された映像への深刻な影響が見られるような電波の環境において、フレーム内予測符号化画像やフレーム間順方向予測画像をフィルタリングし、フィルタリングした画像を表示する技術が検討されている（例えば、特許文献１参照。）。
【特許文献１】特開２００３−６９９１５号公報
【発明の開示】
【発明が解決しようとする課題】
【０００３】
これまでの受信装置のように、画像を補正すれば、再生された映像の悪化を低減できる。しかしながら、画像の補正によって処理量が増加すれば、消費電力も向上する。特に、受信装置がバッテリー駆動である場合には、低い消費電力が望まれる。また、画像の補正によって受信処理の遅延が増加する。その結果、許容遅延時間が規定されている場合には、これを満たさなくなる可能性がある。また、許容遅延時間が規定されていなくても、遅延の増加によって、バッファが増加する。そのため、回路規模が増大する場合もある。
【０００４】
本発明者はこうした状況下、以下の課題を認識するに至った。これまでの受信装置では電波の環境の悪い環境下において、すべての映像データ等の誤りを低減することが目的とされていた。一方、映像データに含まれる画像が、フレーム内予測符号化画像やフレーム間順方向予測画像である場合、すなわち性質の異なった画像を含んでいる場合、どの部分に誤りが含まれているかによって、再生される映像に及ぼされる影響が異なる。そのため、他の画像にも影響を及ぼす可能性の高い画像に対して、誤りを低減することが要求される。
【０００５】
本発明はこうした状況に鑑みてなされたものであり、その目的は、処理量の増加を抑えながらも、データの伝送特性の悪化を抑制する受信技術を提供することにある。
【課題を解決するための手段】
【０００６】
上記課題を解決するために、本発明のある態様の受信装置は、複数のブロックによって構成された信号であって、かつ複数のブロックのそれぞれに対して複数のキャリアが使用された信号を複数のアンテナにてそれぞれ受信する受信部と、受信部において受信した信号の品質を測定する測定部と、測定部が測定した品質をもとに、アダプティブアレイ信号処理でのウエイトを共通化すべきキャリアの数を変更しながら、受信部において複数のアンテナにて受信した信号に対して、アダプティブアレイ信号処理を実行する処理部とを備える。受信部において受信した信号を構成する複数のブロックのそれぞれには、優先度が付与されており、処理部は、優先度にもとづいてアダプティブアレイ信号処理を行い、ウエイトを計算する。
【０００７】
この態様によると、優先度をもとにアダプティブアレイ信号処理を実行するので、優先度の高いブロックと優先度の低いブロックに対して、異なったアダプティブアレイ信号処理を実行を実行でき、処理量の増加を抑えつつ、品質の悪化を抑制できる。
【０００８】
処理部は、品質が悪化した場合に、優先度の低いブロックよりも優先度の高いブロックに対して、アダプティブアレイ信号処理でのウエイトを共通化すべきキャリアの数を少なくしながら、アダプティブアレイ信号処理を実行してもよい。この場合、品質が悪化すると、優先度が高いブロックに対して、ウエイトを共通化すべきキャリアの数を少なくしつつ、優先度が低いブロックに対して、優先度が高いブロックよりもウエイトを共通化すべきキャリアの数を少なくしないので、処理量の増加を抑えつつ、品質の悪化を抑制できる。
【０００９】
受信部において受信した信号は、音声データに対応したブロックあるいは映像データに対応したブロックを含んでおり、かつ音声データに対応したブロックの優先度が映像データに対応したブロックの優先度以上になるように規定されていてもよい。この場合、音声データについては、品質が悪化しても、ウエイトを共通化すべきキャリアの数を少なくするので、品質の悪化を抑制できる。
【００１０】
受信部において受信した信号を構成する複数のブロックは、映像データに対応したブロックを含んでおり、かつ映像データは、複数のフレームのうちのひとつを符号化する際に、他のフレームを使用する第１符号化、あるいは複数のフレームのうちのひとつを符号化する際に、他のフレームを使用しない第２符号化に対応しており、第２符号化に対応したブロックの優先度が第１符号化に対応したブロックの優先度以上になるように規定されていてもよい。この場合、第２符号化に対応したブロックは、第１符号化に対応したブロックを復号する際にも使用されるので、品質が悪化したときに、第２符号化に対応したブロックに対して、ウエイトを共通化すべきキャリアの数を少なくすることによって、品質の悪化を抑制できる。
【００１１】
「複数のフレームのうちのひとつを符号化する際に、他のフレームを使用する第１符号化」の一例は、フレーム間順方向予測符号化、フレーム間双方向予測符号化であり、「複数のフレームのうちのひとつを符号化する際に、他のフレームを使用しない第２符号化」の一例は、フレーム内予測符号化である。
【００１２】
受信部において受信した信号に含まれる第１符号化に対応したブロックのうち、第２符号化に対応したブロックに近接しているブロックほど、優先度が高くなるように設定されていてもよい。この場合、第１符号化に対応したブロックのうち、第２符号化に対応したブロックに近接しているブロックは、第２符号化に対応したその他のブロックを復号する際にも使用されるので、品質が悪化したときに、第１符号化に対応したブロックのうち、第２符号化に対応したブロックに近接しているブロックに対して、ウエイトを共通化すべきキャリアの数を少なくすることによって、品質の悪化を抑制できる。
【００１３】
処理部は、アダプティブアレイ信号処理でのウエイトを共通化すべきキャリアの数として、複数種類のキャリアの数を規定しており、品質が悪化するにしたがって、少ない値のキャリアの数を選択しつつ、アダプティブアレイ信号処理を実行してもよい。この場合、複数種類のキャリアの数を予め規定しているので、処理を簡易にできる。
【００１４】
受信部が既に受信した信号を構成する複数のブロックに対して、優先度ごとのブロックのデータ量を集計する集計部と、集計部において集計したデータ量をもとに、高い優先度のブロックが受信されるべきタイミングを推定する推定部とをさらに備えてもよい。処理部は、推定部において推定したタイミングを使用しつつ、優先度の高いブロックに対して、アダプティブアレイ信号処理でのウエイトを共通化すべきキャリアの数を変更してもよい。この場合、優先度の高いブロックが受信されるべきタイミングを推定するので、高い優先度のブロックが受信されるべきタイミングが、別途、知らされない場合であっても、高い優先度のブロックが受信されるべきタイミングを抽出できる。
【００１５】
本発明の別の態様は、受信方法である。この方法は、複数のブロックによって構成された信号であって、かつ複数のブロックのそれぞれに対して複数のキャリアが使用された信号を複数のアンテナにてそれぞれ受信し、受信した信号の品質をもとに、アダプティブアレイ信号処理でのウエイトを共通化すべきキャリアの数を変更しながら、複数のアンテナにて受信した信号に対して、アダプティブアレイ信号処理を実行する受信方法であって、受信した信号を構成する複数のブロックのそれぞれには、優先度が付与されており、優先度にもとづいてアダプティブアレイ信号処理を行い、ウエイトを計算する。
【００１６】
本発明のさらに別の態様も、受信方法である。この方法は、複数のブロックによって構成された信号であって、かつ複数のブロックのそれぞれに対して複数のキャリアが使用された信号を複数のアンテナにてそれぞれ受信するステップと、受信した信号の品質を測定するステップと、測定した品質をもとに、アダプティブアレイ信号処理でのウエイトを共通化すべきキャリアの数を変更しながら、複数のアンテナにて受信した信号に対して、アダプティブアレイ信号処理を実行するステップとを備える。受信するステップにおいて受信した信号を構成する複数のブロックのそれぞれには、優先度が付与されており、アダプティブアレイ信号処理を実行するステップは、優先度にもとづいてアダプティブアレイ信号処理を行い、ウエイトを計算する。
【００１７】
アダプティブアレイ信号処理を実行するステップは、品質が悪化した場合に、優先度の低いブロックよりも優先度の高いブロックに対して、アダプティブアレイ信号処理でのウエイトを共通化すべきキャリアの数を少なくしながら、アダプティブアレイ信号処理を実行してもよい。受信するステップにおいて受信した信号は、音声データに対応したブロックあるいは映像データに対応したブロックを含んでおり、かつ音声データに対応したブロックの優先度が映像データに対応したブロックの優先度以上になるように規定されていてもよい。受信するステップにおいて受信した信号を構成する複数のブロックは、映像データに対応したブロックを含んでおり、かつ映像データは、複数のフレームのうちのひとつを符号化する際に、他のフレームを使用する第１符号化、あるいは複数のフレームのうちのひとつを符号化する際に、他のフレームを使用しない第２符号化に対応しており、第２符号化に対応したブロックの優先度が第１符号化に対応したブロックの優先度以上になるように規定されていてもよい。
【００１８】
受信するステップにおいて受信した信号に含まれる第１符号化に対応したブロックのうち、第２符号化に対応したブロックに近接しているブロックほど、優先度が高くなるように設定されていてもよい。アダプティブアレイ信号処理を実行するステップは、アダプティブアレイ信号処理でのウエイトを共通化すべきキャリアの数として、複数種類のキャリアの数を規定しており、品質が悪化するにしたがって、少ない値のキャリアの数を選択しつつ、アダプティブアレイ信号処理を実行してもよい。受信するステップにおいて既に受信した信号を構成する複数のブロックに対して、優先度ごとのブロックのデータ量を集計するステップと、集計したデータ量をもとに、高い優先度のブロックが受信されるべきタイミングを推定するステップとをさらに備え、アダプティブアレイ信号処理を実行するステップは、推定したタイミングを使用しつつ、優先度の高いブロックに対して、アダプティブアレイ信号処理でのウエイトを共通化すべきキャリアの数を変更してもよい。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、処理量の増加を抑えながらも、データの伝送特性の悪化を抑制できる。
【発明を実施するための最良の形態】
【００２１】
本発明を具体的に説明する前に、概要を述べる。本発明の実施例は、地上デジタルテレビジョン規格のひとつであるＩＳＤＢ−Ｔ方式に対応した受信装置に関する。ＩＳＤＢ−Ｔ方式における映像データは、ＭＰＥＧ（Ｍｏｖｉｎｇ  Ｐｉｃｔｕｒｅ  Ｅｘｐｅｒｔ  Ｇｒｏｕｐ）−２に準拠しており、フレーム内予測符号化画像（以下、「Ｉピクチャ」という）、フレーム間順方向予測符号化画像（以下、「Ｐピクチャ」という）、フレーム間双方向予測符号化画像（以下、「Ｂピクチャ」という）を含む。本実施例では、画像の重要性に応じて、各ピクチャに優先度が付与されている。Ｉピクチャは、それ自体だけでも再生可能であるのに対し、ＰピクチャおよびＢピクチャは、再生にＩピクチャを必要とする。そのため、Ｉピクチャは、ＰピクチャやＢピクチャよりも重要といえるので、本実施例では、ＰピクチャやＢピクチャの優先度よりも、Ｉピクチャの優先度を高い値に設定する。
【００２２】
また、ＩＳＤＢ−Ｔ方式は、マルチキャリア変調のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式を使用している。ここでは、「５６１７」のキャリアを使用する。本実施例に係る受信装置は、複数のアンテナによってアダプティブアレイ信号処理を実行しているが、理想的には、キャリアを単位にしてウエイトを導出すべきである。しかしながら、「５６１７」のキャリアに対してウエイトを導出する場合、一般的に、処理量が増加してしまうので、本実施例では、以下のような処理を実行する。受信装置は、「５６１７」のキャリアをふたつのグループに分ける。例えば、低周波数の部分と高周波数の部分に分ける。さらに、受信装置は、低周波数の部分のうちのひとつのキャリアからウエイトを導出し、これを低周波数の部分に属する複数のキャリアに使用する。また、受信装置は、高周波数の部分についても同様の処理を実行する。
【００２３】
伝搬の環境が悪化したときに、処理の増加を抑えつつ、再生された映像の品質の悪化を低減するために、本実施例では、以下のような処理を実行する。受信した信号の品質が悪化すると、高い優先度を設定したピクチャ、すなわちＩピクチャに対して、「５６１７」のキャリアを分けるグループの数を多くする。これにより、ひとつのグループに含まれるキャリアの数が少なくなることによって、ウエイトの精度が高くなる。また、ウエイトの精度が高くなることによって、受信した信号の品質の悪化を低減できる。また、以上の処理をＩピクチャに対して行ない、ＰピクチャとＢピクチャについては、ふたつのグループによるアダプティブアレイ信号処理を実行するので、処理量の増加も抑制できる。
【００２４】
図１は、本発明の実施例に係るマルチキャリア信号のスペクトルを示す。図１は、ＯＦＤＭ変調方式での信号のスペクトルを示す。ＯＦＤＭ変調方式における複数のキャリアのひとつをサブキャリアと一般的に呼ぶが、ここではひとつのサブキャリアを「サブキャリア番号」によって指定するものとする。ここでは、サブキャリア番号「１」から「５６１７」までの５６１７のサブキャリアが規定されている。なお、ベースバンドの信号に対しても、サブキャリア番号を使用するものとする。それぞれのサブキャリアに対する変調方式には、ＱＳＰＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ等が使用される。また、これらの信号には、誤り訂正方式として、畳み込み符号化とリードソロモン符号化が適用されている。これらは、公知の技術であるので、説明を省略する。
【００２５】
図２は、本発明の実施例に係る受信装置１００の構成を示す。受信装置１００は、アンテナ１０と総称される第１アンテナ１０ａ、第２アンテナ１０ｂ、ＦＦＴ（Ｆａｓｔ  Ｆｏｕｒｉｅｒ  Ｔｒａｎｓｆｏｒｍ）部１４と総称される第１ＦＦＴ部１４ａ、第２ＦＦＴ部１４ｂ、処理部１６、復調部１８、復号部２０、スクランブル解除部２２、測定部２４、推定部２６、決定部２８、映像・音声デコーダ３０、出力部３２を含む。以下、説明の明瞭化のため、映像の再生を中心に説明を行なう。
【００２６】
ＲＦ部１２は、複数のブロックによって構成された信号であって、かつ複数のブロックのそれぞれに対して複数のサブキャリアが使用された信号を複数のアンテナ１０にてそれぞれ受信する。ここで、ひとつのブロックは、映像に含まれるひとつあるいは複数のフレームに相当する。なお、ひとつのブロックに対しては、同一の符号化がなされているものとする。また、ブロックに対する符号化として複数の符号化が規定されている。ここで、複数の符号化は、フレーム内予測符号化、フレーム間順方向予測符号化、フレーム間双方向予測符号化に相当するが、これらは公知の技術であるので説明を省略する。
【００２７】
なお、フレーム内予測符号化は、複数のフレームのうちのひとつを符号化する際に、他のフレームを使用しないが、フレーム間順方向予測符号化、フレーム間双方向予測符号化は、複数のフレームのうちのひとつを符号化する際に、他のフレームを使用する。また、それぞれに対応した画像が、Ｉピクチャ、Ｐピクチャ、Ｂピクチャである。また、複数のブロックのそれぞれには、優先度が付与されている。ここでは、ＰピクチャおよびＢピクチャの優先度よりも、Ｉピクチャの優先度が高くなるように規定されている。
【００２８】
ＲＦ部１２は、受信した信号を無線周波数から、ベースバンドに周波数変換する。そのため、ＲＦ部１２は、チューナの機能を備えており、チューナの受信周波数を所定の値に固定することによって、ＲＦ部１２は、受信した信号から、視聴すべき放送局に対応したチャンネルの番組を選択する。なお、「番組」とは、放送されているプログラムを示すが、ここでは、その内容も含むものとする。すなわち、番組は、放送されている音声、放送されている映像、それらの組合せを示してもよいものとする。
【００２９】
ＦＦＴ部１４は、ＦＦＴを実行する。その結果、ＲＦ部１２においてベースバンドに周波数変換された信号が、周波数領域の信号に変換される。ここで、周波数領域の信号は、図１のごとく、複数のサブキャリアの成分を含むので、図には、複数のサブキャリアに対応した複数の信号線が示されるべきである。しかしながらここでは、図を明瞭にするために、周波数領域の信号は、サブキャリア番号の順に並べられて、シリアル信号を形成しているものとする。そのため、ひとつの信号線が示される。
【００３０】
図３は、周波数領域の信号の構成を示す。ここで、図１に示したサブキャリア番号「１」から「５６１７」のひとつの組合せを「ＯＦＤＭシンボル」というものとする。また、周波数領域における１ＯＦＤＭシンボルを時間領域に変換した信号も１ＯＦＤＭシンボルというものとする。「ｉ」番目のＯＦＤＭシンボルでは、サブキャリア番号「１」から「５６１７」の順に、サブキャリア成分が並べられているものとする。また、「ｉ」番目のＯＦＤＭシンボルの前に、「ｉ−１」番目のＯＭＤＭシンボルが配置され、「ｉ」番目のＯＦＤＭシンボルの後ろに、「ｉ＋１」番目のＯＭＤＭシンボルが配置されているものとする。
【００３１】
図２に戻る。処理部１６は、ふたつのＦＦＴ部１４から入力した信号に対して、アダプティブアレイ信号処理を実行する。すなわち、処理部１６は、ふたつのＦＦＴ部１４から入力した信号の特性をもとにして、それぞれの入力に応じたウエイトを適応的に設定する。さらに、処理部１６では、そのウエイトが乗算された信号を合成する。ここで、処理部１６は、サブキャリアを単位にしてウエイトの乗算および加算を実行する。そのため、処理部１６から出力される信号も、図３の形式を有しているものとする。なお、詳細は後述するが、処理部１６、受信した信号の品質をもとに、アダプティブアレイ信号処理でのウエイトを共通化すべきキャリアの数を変更するものとする。当該変更のための指示は、決定部２８から受けつける。
【００３２】
復調部１８は、処理部１６において合成された信号を復調する。前述のごとく、ＩＳＤＢ−Ｔ方式では、ＱＰＳＫ、１６ＱＡＭ、６４ＱＡＭ等が使用されているので、復調部１８もそれに対応するような復調を実行する。復号部２０は、復調された信号に対して、誤り訂正の復号を実行する。前述のごとく、ＩＳＤＢ−Ｔ方式では、畳み込み符号とリードソロモン符号が使用されているので、復号部２０もそれらに対応するような復号を実行する。なお、復号部２０では、図示しない送信装置でなされたインタリーブに応じて、デインタリーブが実行される。スクランブル解除部２２は、復号した信号にかけられているスクランブルを解除する。
【００３３】
映像・音声デコーダ３０は、スクランブルが解除された信号、すなわちＩピクチャ、Ｐピクチャ、Ｂピクチャを復号し、映像を再生する。Ｉピクチャ、Ｐピクチャ、Ｂピクチャの復号は、公知の技術であるので、説明を省略する。なお、本来、映像・音声デコーダ３０でのＩピクチャ、Ｐピクチャ、Ｂピクチャが、Ｉピクチャ、Ｐピクチャ、Ｂピクチャと呼ばれるべきであるが、ここでは、前述のごとく、ＲＦ部１２において受信されたＩピクチャ、Ｐピクチャ、Ｂピクチャ、およびそれらが変換された形態も、Ｉピクチャ、Ｐピクチャ、Ｂピクチャと呼ぶものとする。また、映像・音声デコーダ３０は、音声データに対しても復号を実行する。出力部３２は、復号された映像データおよび復号された音声データを再生する。出力部３２は、ディスプレイ、スピーカ等を含む。
【００３４】
推定部２６は、スクランブル解除部２２から出力される複数のブロックのうち、Ｉピクチャの位置を推定する。ここで、処理部１６は、信号の品質に応じて、優先度の高いブロック、すなわちＩピクチャに対するウエイトの導出方法を変更する。そのため、前提としてＩピクチャの位置の推定が必要になる。これは、ＩＳＤＢ−Ｔ方式において、Ｉピクチャ等の位置を示した情報が、図示しない送信装置から伝送されないためである。推定部２６は、複数のブロックに対して、優先度ごとのブロックのデータ量を集計する。さらに、推定部２６は、集計したデータ量をもとに、次にＩピクチャが受信されるべきタイミングを推定する。なお、各ブロックの先頭部分には、当該ブロックに対する情報がヘッダとして付加されている。
【００３５】
推定部２６の動作を図を使用しながら説明する。図４（ａ）−（ｂ）は、推定部２６によるＩピクチャの位置の推定を説明するための図である。図４（ａ）は、通常の場合に相当する。ここで、複数のブロックが並んでいるが、図の左側から右側の順に、時間が経過しているものとする。すなわち、図の左側が過去のブロックに相当する。また、「Ｉ」は、Ｉピクチャに相当し、「Ｐ」は、Ｐピクチャに相当し、「Ｂ」は、Ｂピクチャに相当する。図４（ａ）では、時間の経過にしたがって、「Ｉ」、「Ｂ」、「Ｂ」、「Ｐ」、「Ｂ」、「Ｂ」、「Ｐ」のように配置されている。推定部２６では、前回、検出されたヘッダ位置「Ｈｂ」をもとに、次に出現すべきＩピクチャの位置「Ｈｉ」を推定する。なお、実際には完全に正確な位置の推定は困難であるので、本来の「Ｈｉ」の位置よりも前になるような位置「Ｈｓ」を「Ｈｉ」の位置として推定する。このような処理により、「Ｈｓ」までに配置されている「Ｐ」や「Ｂ」は、推定部２６において破棄される。以下、このような破棄は、スキップと呼ばれる。
【００３６】
推定部２６は、スキップ量Ｓを次のように導出する。
Ｓ  ＝  ｄ＋ｎｐ×Ｕｐ＋ｎｂ×Ｕｂ−ｔ・・・（１）
ここで、dは推定部２６から処理部１６の入力段までの間の処理中のデータ量、すなわちビット量である。これは事前に決まる量である。ｔは、「Ｈｉ」を前方にシフトさせる際のシフト量であり、マージンに相当する。ｎｐは、次のＩピクチャまでに存在するＰピクチャの数、すなわちＰピクチャに対応した画像フレームの枚数を示す。また、ｎｂは、次のＩピクチャまでに存在するＢピクチャの数、すなわちＢピクチャに対応した画像フレームの枚数を示す。これらの枚数は、推定部２６によってカウントされる。さらに、Ｕｐは、Ｐピクチャのビット数を示し、Ｕｂは、Ｂピクチャのビット数を示し、以下のように示される。
Ｕｐ  ＝  Ｒ×ｒｐ／Ｌｐ・・・（２）
Ｕｂ  ＝  Ｒ×ｒｂ／Ｌｂ・・・（３）
【００３７】
なお、Ｒは、平均のビットレートであり、変調方式、誤り訂正の符号化率によって決定される。これは、復号部２０から取得可能である。Ｌｐは、１秒間に含まれるＰピクチャの数であり、Ｌｂは、１秒間に含まれるＢピクチャの数である。なお、これらの値は、予め規定されている。また、ｒｉ、ｒｐ、ｒｂはＩピクチャ、Ｐピクチャ、Ｂピクチャのデータ量、すなわちビット量の比である。前述のごとく、推定部２６がこれらを集計する。
１．０  ＝  ｒｉ＋ｒｐ＋ｒｂ・・・（４）
推定部２６は、Ｓだけ図示しないカウンタによってカウントしながら処理をスキップすることによって、位置Ｈｂから位置Ｈｓを検出する。さらに、推定部２６は、図２の決定部２８にＨｉの位置として、Ｈｓの位置を通知する。
【００３８】
図４（ｂ）は、Ｓの予測値が実際より大きくなり、ＨｓがＨｉを越してしまう場合を示す。これは、シーンチェンジなどにより、フレームごとの符号量が大きく変わる場合に相当する。このような場合、Ｉピクチャのヘッダが検出できず、次のピクチャのヘッダが検出される。この場合に、推定部２６は、次のＩピクチャの位置を推定し、スキップを実行する。
【００３９】
図２に戻る。測定部２４は、映像・音声デコーダ３０から出力された信号の品質を測定する。ここで、映像・音声デコーダ３０から出力された信号は、再生された映像や音声に相当する。また、測定部２４は、信号の品質として、誤り率を測定する。測定部２４は、測定した誤り率を決定部２８に通知する。
【００４０】
決定部２８は、処理部１６におけるアダプティブアレイ信号処理でのウエイトを共通化すべきキャリア数を制御する。決定部２８は、信号の品質が悪化した場合、すなわち誤り率がしきい値よりも悪くなった場合に、処理部１６に対して、ＰピクチャやＢピクチャよりも、Ｉピクチャに対して、アダプティブアレイ信号処理でのウエイトを共通化すべきキャリアの数を少なくさせる。ここで、「アダプティブアレイ信号処理でのウエイトを共通化すべきサブキャリアの数」について説明する。処理部１６においてアダプティブアレイ信号処理の対象となるべき信号は、複数のサブキャリアを使用している。そのため、理想的には、サブキャリア単位にウエイトが導出されるようなアダプティブアレイ信号処理が望ましい。しかしながら、処理量の増大を抑制するために、処理部１６は、複数のサブキャリアを低周波部分と高周波部分に分離する。全体のサブキャリア数は「５６１７」なので、サブキャリア番号「１」から「２８０９」の低周波部分と、サブキャリア番号「２８１０」から「５６１７」の高周波部分が定義される。なお、説明の便宜上、低周波部分を「グループ１」といい、高周波部分を「グループ２」という。
【００４１】
ＰピクチャやＢピクチャに対して、処理部１６は、グループ１に含まれるサブキャリアのうちのひとつに対して、ウエイト（以下、「第１ウエイト」という）を導出し、グループ２に含まれるサブキャリアのうちのひとつに対して、ウエイト（以下、「第２ウエイト」という）を導出する。さらに、処理部１６は、グループ１に含まれるサブキャリアに対して、第１ウエイトを使用しながら、アダプティブアレイ信号処理を実行し、グループ２に含まれるサブキャリアに対して、第２ウエイトを使用しながら、アダプティブアレイ信号処理を実行する。また、決定部２８は、誤り率に応じて、ＰピクチャやＢピクチャでのグループの数を変更しない。このような場合において、前述の「アダプティブアレイ信号処理でのウエイトを共通化すべきサブキャリアの数」は、「２」であり、「アダプティブアレイ信号処理でのウエイトを共通化すべきサブキャリアの数」とは、ひとつのグループに含まれるサブキャリアの数である。また、グループ数が増加すれば、「アダプティブアレイ信号処理でのウエイトを共通化すべきサブキャリアの数」は減少する。
【００４２】
決定部２８は、測定部２４において測定した誤り率の値をもとに、Ｉピクチャでのグループ数を変更する。図５は、決定部２８に記憶されたしきい値のデータ構造を示す。図示のごとく、条件欄７０、グループ数欄７２が設けられる。条件欄７０には、測定部２４において測定した誤り率に対する条件が記入されている。ここで、ふたつのしきい値Ｅ１とＥ２が設けられており、両者は、Ｅ１＞Ｅ２の関係にある。「誤り率がＥ１より大」きければ、グループ数は「１８７２」となる。また、「誤り率がＥ１以下」であり、かつ「Ｅ２より大」きければ、グループ数は「４」となる。さらに、「誤り率がＥ２以下」であれば、グループ数は「２」となる。なお、グループ数が「２」の場合、処理部１６は、Ｉピクチャに対して、ＰピクチャやＢピクチャと同一の処理を実行する。
【００４３】
図２に戻る。以上のように、決定部２８は、グループ数として、複数種類のグループ数を規定しており、誤り率に応じてそれらのうちのひとつを使用する。すなわち、決定部２８は、誤り率が悪化するにしたがって、グループ数が大きくなるように処理部１６を制御する。これは、誤り率が悪化するにしたがって、少ない値のサブキャリアの数を選択することに相当する。なお、以上の処理において、Ｉピクチャの位置を認識しなければならないが、決定部２８は、推定部２６がおいて推定したＩピクチャのタイミングを使用する。例えば、誤り率としきい値との比較によって、グループ数を「１８７２」に決定した場合、決定部２８は、処理部１６に対して、Ｉピクチャに対して「１８７２」のグループ数に対応した処理を実行させ、ＰピクチャとＢピクチャに対して「２」のグループ数に対応した処理を実行させる。
【００４４】
次に、グループ数に応じた、処理の違いを説明する。図６（ａ）−（ｂ）は、処理部１６におけるアダプティブアレイ信号処理を説明するための図である。図６（ａ）は、グループ数「２」の場合である。横軸が周波数を示し、図１と同様にサブキャリア番号が示されている。前述のごとく、第１グループと第２グループのそれぞれに対して、第１ウエイトと第２ウエイトが計算される。誤り率が小さければ、このような処理によっても受信性能は映像等の再生に関して問題とならない。しかしながら、市街地等において反射波が多くなると、マルチパスにもとづく周波数選択性フェージング現象によって、サブキャリアを単位にして特性が大きく変わる。このような場合、第１ウエイトと第２ウエイトによる処理では、受信性能が悪化する可能性がある。そのため、決定部２８は、グループ数が多くなるように制御する。
【００４５】
図６（ｂ）は、グループ数「１８７２」の場合である。図示のごとく、４つのサブキャリアをひとつのグループとして、「１８７２」のグループが形成される。なお、ひとつのグループにおける両端のサブキャリアは、隣接したグループと共通に使用される。この場合、処理部１６は、「１８７２」のウエイトを導出する。グループ数「２」に対応するように、処理部１６がふたつのウエイト計算回路を有している場合、グループ数が「１８７２」であれば、処理部１６は、図示しないふたつのウエイト計算回路を時分割しながら使用する。すなわち、処理部１６は、ひとつのウエイト計算回路を「９３６」回使用する。
【００４６】
グループ数「１８７２」での処理に関連し、ＩＳＤＢ−Ｔ方式でのパイロット信号の配置を説明する。図７は、処理部１６において処理すべきパイロット信号の配置を示す。図の横軸は、周波数を示しており、また図では、左側から右側に、サブキャリア番号「ｘ」から「ｘ＋１２」までを代表して示す。図の縦軸は、時間を示しており、図では、上側から下側に、「ｙシンボル」から「ｙ＋４」シンボルを代表して示す。なお、シンボルは、前述のＯＦＤＭシンボルに相当する。図中の「Ｐ」がパイロット信号であり、「Ｏ」がパイロット信号以外の信号を示す。３つのサブキャリアのうちのひとつに対して、パイロット信号が配置されている。また、そのようなサブキャリアに対しても、４シンボルに一回の間隔によって、パイロット信号が配置されている。ひとつのグループである「グループｚ」では、サブキャリア「ｘ」と「ｘ＋３」に配置されたパイロット信号を使用しながら、ウエイトが計算される。このとき、ふたつのパイロット信号を交互に使用しながら、グループに対してひとつのウエイトが計算されてもよい。また、ふたつのパイロット信号を使用することによってそれぞれのサブキャリアに対応したウエイトを導出し、それら以外のサブキャリアについて内挿補間が実行されてもよい。また、ふたつのサブキャリアのうちの一方だけを使用しながら、ウエイトを導出してもよい。
【００４７】
この構成は、ハードウエア的には、任意のコンピュータのＣＰＵ、メモリ、その他のＬＳＩで実現でき、ソフトウエア的にはメモリのロードされた受信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４８】
図８は、処理部１６の構成を示す。処理部１６は、合成部５２、受信ウエイトベクトル計算部５４、参照信号生成部５６を含む。また、合成部５２は、乗算部５８と総称される第１乗算部５８ａ、第２乗算部５８ｂ、加算部６０を含む。
【００４９】
乗算部５８は、受信ウエイトベクトル計算部５４からの受信ウエイトベクトルによって、周波数領域の信号を重み付けし、加算部６０は乗算部５８の出力を加算する。これまでのウエイトが受信ウエイトベクトルに相当する。ここで、周波数領域の信号は、サブキャリア番号の順に配置されているので、受信ウエイトベクトル計算部５４からの受信ウエイトベクトルもそれに対応するように配置されている。すなわち、ひとつの乗算部５８は、サブキャリア番号の順に配置された受信ウエイトベクトルを逐次入力する。なお、前述のごとく、ひとつのグループ内において、受信ウエイトベクトルが同一であってもよい。また、加算部６０は、サブキャリア単位で、乗算結果を加算する。その結果、加算された信号も、図３のごとく、サブキャリア番号の順にシリアルに並べられている。
【００５０】
参照信号生成部５６は、パイロット信号、その他の既知信号を参照信号として出力する。受信ウエイトベクトル計算部５４は、ＦＦＴ部１４からの周波数領域の信号、加算部６０によって加算した信号、参照信号にもとづいて、受信ウエイトベクトルを導出する。前述のごとく、受信ウエイトベクトルの導出は、グループの中のひとつのパイロット信号に対して実行される。図７のように、パイロット信号を配置するサブキャリアは、時間と共に変化するので、これに追従しながら、受信ウエイトベクトルが計算されてもよい。また、グループの数「２」に対応して、受信ウエイトベクトル計算部５４には、図示しないふたつのウエイト計算回路が含まれるものとする。受信ウエイトベクトルの導出方法は、任意のものでよく、そのひとつはＬＭＳ（Ｌｅａｓｔ  Ｍｅａｎ  Ｓｑｕｅａｒｅ）アルゴリズムによる導出である。また、ＭＲＣ（最大比合成）アルゴリズムによる導出であってもよい。受信ウエイトベクトルの導出は、公知の技術を使用すればよいので、ここでは説明を省略する。なお、受信ウエイトベクトル計算部５４は、前述のごとく、内挿補間を実行してもよい。
【００５１】
以上の構成による受信装置１００の動作を説明する。図９は、受信装置１００による受信処理の手順を示すフローチャートである。決定部２８は、処理部１６に対するグループ数を「２」に設定する（Ｓ１０）。測定部２４は、誤り率を測定する（Ｓ１２）。誤り率がＥ１より大きければ（Ｓ１４のＹ）、決定部２８は、グループ数を「１８７２」に設定する（Ｓ１６）。一方、誤り率がＥ１より大きくなく（Ｓ１４のＮ）、Ｅ２より大きければ（Ｓ１８のＹ）、決定部２８は、グループ数を「４」に設定する（Ｓ２０）。誤り率がＥ２より大きくなければ（Ｓ１８のＮ）、決定部２８は、グループ数を「２」に設定する（Ｓ２２）。推定部２６は、Ｉピクチャの位置を推定する（Ｓ２４）。処理部１６は、推定されたＩピクチャに対して、決定部２８において設定されたグループ数にてアダプティブアレイ信号処理を実行する（Ｓ２６）。
【００５２】
これまで、測定部は、信号の品質として誤り率を測定していた。この変形例として、測定部２４が、信号の品質としてＥＶＭ（Ｅｒｒｏｒ  Ｖｅｃｔｏｒ  Ｍａｇｎｉｔｕｄｅ）を測定する場合を説明する。なお、測定部２４は、ＥＶＭにもとづいて、ＭＥＲ（Ｍｏｄｕｌａｔｉｏｎ  Ｅｒｒｏｒ  Ｒａｔｅ）を導出してもよい。この場合、測定部２４には、復調部１８からの信号が入力されてもよい。
【００５３】
図１０は、変形例に係るＥＶＭの概要を示す。ここではＩＱ座標平面でのＱＰＳＫシンボル点を示す。図中の黒丸印が本来のＱＰＳＫシンボル点を示し、Ｘ印が受信した信号の受信シンボル点を示す。図示のごとく、伝送路での雑音や干渉波によって、受信した信号の受信シンボル点が本来のシフトＱＰＳＫシンボル点からずれている。図において矢印で示したずれが、ＥＶＭに相当する。なお、ＥＶＭは、例えば、Ｗａｙｎｅ  Ｍｕｓｉｃ，Ｂｒｏａｄｃｏｍ  Ｃｏｒｐ．による”Ｓｔａｔｉｓｔｉｃａｌ  Ａｎａｌｙｓｉｓ  ｏｆ  Ｎｏｉｓｅ  Ｍｅａｓｕｒｅ  Ａｃｃｕｒａｃｙ”（ＩＥＥＥ  Ｐ８０２．１５  Ｗｉｒｅｌｅｓｓ  Ｐｅｒｓｏｎａｌ  Ａｒｅａ  Ｎｅｔｗｏｒｋｓ，２００１年３月８日）に開示されている。
【００５４】
推定部２６は、ＥＶＭを次のように計算する。図１０での本来のＱＰＳＫシンボル点の座標を（ｄｉ，ｄｑ）とし、受信シンボル点を（ｙｉ，ｙｑ）とすれば、ＥＶＭは次のように示される。
ＥＶＭ  ＝  （ｙｉ−ｄｉ）２＋（ｙｑ−ｄｑ）２・・・（５）
なお、ＥＶＭの計算に関する詳細は、前述の文献に記載されているので、ここでの説明を省略する。
【００５５】
本発明の実施例によれば、誤り率が悪化すると、Ｉピクチャに対して、受信ウエイトベクトルを共通化すべきサブキャリアの数を少なくしつつ、ＰピクチャおよびＢピクチャに対して、Ｉピクチャよりも受信ウエイトベクトルを共通化すべきサブキャリアの数を少なくしないので、処理量の増加を抑えつつ、Ｉピクチャに対するアダプティブアレイ信号処理の精度を向上できる。また、Ｉピクチャに対するアダプティブアレイ信号処理の精度を向上させるので、品質の悪化を抑制できる。また、誤り率が悪化しても、ＰピクチャおよびＢピクチャについて、ふたつのグループによる処理が実行されるので、Ｉピクチャに対する処理遅延が大きくなっても、全体としての処理遅延の増加を抑制できる。また、グループの数が多くなっても、ウエイト計算回路を時分割によって使用するので、回路規模の増加を抑制できる。
【００５６】
また、Ｉピクチャは、ＰピクチャやＢピクチャを復号する際にも使用されるので、誤り率が悪化したときに、Ｉピクチャに対するアダプティブアレイ信号処理の精度を向上させることによって、効率的に品質の悪化を抑制できる。また、グループの数について複数種類を予め規定しておき、実際はこれを選択することによって、処理を簡易にできる。また、Ｉピクチャが受信されるべきタイミングが、別途、知らされない場合であっても、Ｉピクチャが受信されるべきタイミングを抽出できる。また、ＩＳＤＢ−Ｔ方式に適用できる。また、電波の環境が悪化しても、Ｉピクチャの再生に成功する可能性の悪化を防止できる。また、少なくともＩピクチャをユーザに提示できる。また、電波の環境の悪化に応じて、映像の品質が急激に悪化していた場合であっても、これを徐々に悪化するようにできる。また、映像の品質が徐々に悪化するので、ユーザは、視聴する位置を変えるなど、対策を講じることができる。
【００５７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５８】
本発明の実施例において、受信装置１００は、デジタルテレビジョン放送の番組を受信している。しかしながらこれに限らず例えば、１００は、ラジオ放送の番組を受信してもよい。本変形例によれば、受信装置１００は、ラジオ放送を受信する場合にも適用可能になる。つまり、放送されている番組であって、かつ複数の優先度のいずれかが規定されたブロックを受信する場合であればよい。
【００５９】
本発明の実施例において、受信装置１００は、Ｉピクチャ等に付与された優先度を使用しながら、アダプティブアレイ信号処理を実行していた。しかしながらこれに限らず例えば、優先度は音声データに対して付与されていてもよい。この場合、音声データに対応したブロックの優先度が、映像データに対応したブロックの優先度以上になるように規定されていてもよい。すなわち、音声データの優先度が一番高く、これにＩピクチャの優先度が続く。また、ＰピクチャとＢピクチャの優先度が一番低く規定される。その際、同一の誤り率に対しても、音声データでのグループの数が、それ以外でのグループの数以上になるように設定される。本変形例によれば、音声データについては、品質が悪化しても、ウエイトを共通化すべきサブキャリアの数を少なくするので、品質の悪化を抑制できる。つまり、複数の優先度が設定され、それに応じて、共通化すべきサブキャリアの数が制御されればよい。
【００６０】
本発明の実施例において、受信装置１００は、Ｉピクチャ等に付与された優先度を使用しながら、アダプティブアレイ信号処理を実行していた。しかしながらこれに限らず例えば、Ｐピクチャのうち、Ｉピクチャに近接しているブロックに対して、高い優先度を設定してもよい。このようなブロックには、Ｉピクチャの次の高さの優先度が付与される。本変形例によれば、Ｐピクチャのうち、Ｉピクチャから離れているブロックは、Ｉピクチャに近接しているブロックを使用しながら再生されるので、Ｉピクチャに近接しているブロックのアダプティブアレイ信号処理の精度を向上させることによって、効率的に品質を向上できる。つまり、複数の優先度が設定され、それに応じて、共通化すべきサブキャリアの数が制御されればよい。
【００６１】
本発明の実施例において、推定部２６は、ＰピクチャとＢピクチャをスキップさせる。しかしながらこれに限らず例えば、Ｉピクチャをスキップさせてもよい。本変形例によれば、スキップさせる量の設定に対する自由度を向上させられる。つまり、再生に必要なＩピクチャの位置を推定できればよい。
【００６２】
本発明の実施例において、決定部２８は、誤り率としきい値との比較にもとづいて、Ｉピクチャに対するグループの数を決定していた。しかしながらこれに限らず、誤り率としきい値との比較にもとづいて、（１）Ｉピクチャに対するグループの数を増加させる動作、（２）ＩピクチャおよびＰピクチャに対するグループの数を増加させる動作、（３）ＩピクチャおよびＰピクチャに対するグループの数を増加させない動作を選択してもよい。本変形例によれば、制御を任意に設定できる。つまり、優先度に応じて、グループの数が変更されればよい。
【００６３】
本発明の実施例において、決定部２８は、少なくともひとつのしきい値を設け、複数の動作の段階を規定していた。しかしながらこれに限らず例えば、誤り率に応じて、ひとつのグループに含まれるサブキャリアの数を増減させてもよい。本変形例によれば、アダプティブアレイ信号処理の動作を詳細に設定できる。つまり、共通化すべきサブキャリアの数が制御されればよい。
【００６４】
本発明の実施例において、ＦＦＴ部１４と処理部１６が接続されている。しかしながらこれに限らず例えば、ＦＦＴ部１４と処理部１６との間にメモリが備えられてもよい。この場合、ＦＦＴ部１４から出力された信号は、メモリに格納される。本変形例によれば、処理部１６での処理遅延が大きくなる場合であっても、対応できる。つまり、アダプティブアレイ信号処理における遅延時間に応じて、処理対象の信号の遅延が調節されればよい。さらに、メモリでなく、ＨＤＤ（ハードディスク）を備えてもよい。ＨＤＤに信号を格納することによって、大容量の信号にも対応できる。また、復調に失敗した後でも、オフラインによって復調処理を実行できる。また、現在、ＤＶＤレコーダなどにおいて実現されている「追っかけ再生」機能を使用すれば、リアルタイムの放送に徐々に追いつくことができる。
【００６５】
本発明の実施例において、Ｉピクチャの位置が通知されないので、推定部２６がＩピクチャの位置を推定している。しかしながらこれに限らず例えば、Ｉピクチャの位置が通知されてもよい。ＩＳＤＢ−Ｔ方式のフレーム構造には、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）と呼ばれる制御信号を付加すべき領域が存在する。この領域では、変調方式として、誤り耐性の強いものが使用される。このような領域に映像・音声の属性情報、例えばＩピクチャの位置に関する情報を付加してもよい。例えば、受信装置１００では、ＴＭＣＣのような制御信号から、当該フレームが重要なフレームであるかを判定する。例えば、前述のようにＩピクチャであれば、重要なフレームと判断する。さらに、重要なフレームに対しては、高い優先度を対応づける。本変形例によれば、受信装置１００は、Ｉピクチャの位置の推定を省略できる。
【図面の簡単な説明】
【００６６】
【図１】本発明の実施例に係るマルチキャリア信号のスペクトルを示す図である。
【図２】本発明の実施例に係る受信装置の構成を示す図である。
【図３】図２における周波数領域の信号の構成を示す図である。
【図４】図４（ａ）−（ｂ）は、図２の推定部によるＩピクチャの位置の推定を説明するための図である。
【図５】図２の決定部に記憶されたしきい値のデータ構造を示す図である。
【図６】図６（ａ）−（ｂ）は、図２の処理部におけるアダプティブアレイ信号処理を説明するための図である。
【図７】図２の処理部において処理すべきパイロット信号の配置を示す図である。
【図８】図２の処理部の構成を示す図である。
【図９】図１の受信装置による受信処理の手順を示すフローチャートである。
【図１０】図１の変形例に係るＥＶＭの概要を示す図である。
【符号の説明】
【００６７】
１０  アンテナ、  １２  ＲＦ部、  １４  ＦＦＴ部、  １６  処理部、  １８  復調部、  ２０  復号部、  ２２  スクランブル解除部、  ２４  測定部、  ２６  推定部、  ２８  決定部、  ３０  映像・音声デコーダ、  ３２  出力部、  １００  受信装置。
【図１】
2006237692.tif 000003
【図２】
2006237692.tif 000004
【図３】
2006237692.tif 000005
【図４】
2006237692.tif 000006
【図５】
2006237692.tif 000007
【図６】
2006237692.tif 000008
【図７】
2006237692.tif 000009
【図８】
2006237692.tif 000010
【図９】
2006237692.tif 000011
【図１０】
2006237692.tif 000012